(57)【要約】      （修正有）【課題】毛髪部材のスタイル変更を容易に行うことができる付け毛セットを提供する。【解決手段】装着者の自毛に取り付ける取り付けユニットと、毛髪部材ユニット７１を含む付け毛セット２であって、取り付けユニットは、取り付け本体２１と、取り付け本体２１に設けられている２つ以上のテープ状の第１留め具２２を含み、毛髪部材ユニット７１は、２本以上の毛髪部材３を含み、毛髪部材３のそれぞれにはテープ状の第２留め具６１が備えられており、第１留め具２２が毛髪部材ユニット７１に剥離可能に接着することで毛髪部材３が取り付け本体２１に固定される付け毛セット２に関する。【選択図】図１２
0003225277.tif 000002
【実用新案登録請求の範囲】
【請求項１】
装着者の自毛に取り付ける取り付けユニットと、毛髪部材ユニットを含む付け毛セットであって、
前記取り付けユニットは、取り付け本体と、取り付け本体に設けられている２つ以上のテープ状の第１留め具を含み、
前記毛髪部材ユニットは、２本以上の毛髪部材を含み、前記毛髪部材のそれぞれにはテープ状の第２留め具が備えられており、
第２留め具が第１留め具に剥離可能に接着されることで前記毛髪部材が取り付け本体に固定されることを特徴とする付け毛セット。
【請求項２】
２つ以上の毛髪部材ユニットを含む請求項１に記載の付け毛セット。
【請求項３】
さらに１本以上の毛髪部材を含む請求項１又は２に記載の付け毛セット。
【請求項４】
前記取り付けユニットを装着者の首付近の自毛に取り付ける請求項１〜３のいずれかに記載の付け毛セット。
【請求項５】
装着者の自毛は縦方向のコーンロー又は横方向のコーンローを形成している請求項１〜４のいずれか１項に記載の付け毛セット。
【請求項６】
前記取り付けユニットは、取り付け本体を装着者の自毛に接着剤で貼り付ける、或いは、縫い付けることで取り付けられる請求項１〜５のいずれか１項に記載の付け毛セット。
【請求項７】
前記取り付けユニットは、取り付け本体の第１留め具が設けられている側と反対側に設けられている係合手段によって装着者の自毛に取り付けられる請求項１〜５のいずれか１項に記載の付け毛セット。
【請求項８】
前記第１留め具及び第２留め具は、伸縮性生地の一方又は両方の表面に自着性接着剤が配置された留め具用基材で構成されている請求項１〜７のいずれか１項に記載の全頭かつら。
【請求項９】
前記留め具用基材の厚さが０．２〜０．６ｍｍである請求項８に記載の全頭かつら。
【請求項１０】
前記自着性接着剤の厚さが１０〜８０μｍである請求項８又は９に記載の全頭かつら。
【考案の詳細な説明】
【技術分野】
【０００１】
本考案は、自毛に取り付けて好適に用いる付け毛セット、特にウィーブ（Ｗｅａｖｅ）用付け毛セットに関する。
【背景技術】
【０００２】
従来から自毛のボリュームを増加したり、自毛を長くしたりするために、付け毛を用いることが行われていた。最近では、装飾の目的で付け毛を用いることも行われている。例えば、特許文献１には、自毛に取り付ける連結部材に蓑毛を接着剤で接着させた付け毛が記載されている。
【先行技術文献】
【特許文献】
【０００３】
【特許文献１】米国特許公開公報２０１３／０１３３６８０号
【考案の概要】
【考案が解決しようとする課題】
【０００４】
しかし、特許文献１に記載の付け毛の場合、蓑毛等の毛髪部材のスタイル変更が容易ではないという問題があった。
【０００５】
本考案は、前記従来の問題を解決するため、毛髪部材のスタイル変更を容易に行うことができる付け毛セットを提供する。
【課題を解決するための手段】
【０００６】
本考案は、装着者の自毛に取り付ける取り付けユニットと、毛髪部材ユニットを含む付け毛セットであって、前記取り付けユニットは、取り付け本体と、取り付け本体に設けられている２つ以上のテープ状の第１留め具を含み、前記毛髪部材ユニットは、２本以上の毛髪部材を含み、前記毛髪部材のそれぞれにはテープ状の第２留め具が備えられており、第２留め具が第１留め具に剥離可能に接着することで前記毛髪部材が取り付け本体に固定されることを特徴とする付け毛セットに関する。
【考案の効果】
【０００７】
本考案の１以上の実施形態の付け毛セットによれば、毛髪部材のスタイル変更を容易に行うことが可能な付け毛セットを提供することができる。
【図面の簡単な説明】
【０００８】
【図１】図１は、本考案の１以上の実施形態の付け毛セットを装着者の自毛に取り付けた状態を説明する模式図である。
【図２】図２は、本考案の他の１以上の実施形態の付け毛セットを装着者の自毛に取り付けた状態を説明する模式図である。
【図３】図３は、本考案の１以上の実施形態の付け毛セットを装着者の自毛に取り付けた状態を説明する模式図である。
【図４】図４は、本考案の１以上の実施形態の付け毛セットにおける取り付けユニットの模式的説明図である。
【図５】図５は、本考案の１以上の実施形態の付け毛セットで用いる一例の毛髪部材の模式的説明図である。
【図６】図６は、本考案の１以上の実施形態の付け毛セットにおける一例の毛髪部材ユニットの模式的説明図である。
【図７】図７は、本考案の１以上の実施形態の付け毛セットにおける一例の毛髪部材ユニットの模式的説明図である。
【図８】図８は、本考案の１以上の実施形態の付け毛セットにおける一例の毛髪部材ユニットの模式的説明図である。
【図９】図９は、本考案の１以上の実施形態で用いる一例の留め具用基材の模式的断面図である。
【図１０】図１０は、本考案の１以上の実施形態で用いる一例の留め具用基材の模式的断面図である。
【図１１】図１１は、本考案の１以上の実施形態で用いる一例の留め具用基材の模式的断面図である。
【図１２】図１２は、本考案の１以上の実施形態において、取り付け本体に毛髪部材を固定した状態を説明する模式図である。
【図１３】図１３Ａ〜Ｂは、第１留め具と第２留め具間の接着強度を測定するのに用いた一例の測定試料を説明する写真である。
【考案を実施するための形態】
【０００９】
本考案者らは、上述した課題を解決するために、検討を重ねた。その結果、装着者の自毛に取り付ける取り付けユニットと毛髪部材ユニットで付け毛セットを構成し、取り付けユニットを取り付け本体と、取り付け本体に設けられている２つ以上のテープ状の第１留め具で構成し、毛髪部材ユニットを２本以上のテープ状の第２留め具が備えられた毛髪部材で構成し、第２留め具を第１留め具に剥離可能に接着させることで毛髪部材を取り付けユニットに固定することで、毛髪部材のスタイル変更が容易になることを見出した。
【００１０】
前記付け毛セットは、装着者の自毛に取り付ける取り付けユニットを含み、取り付けユニットは取り付け本体と、取り付け本体に設けられている２つ以上のテープ状の第１留め具を含む。前記取り付け本体には、２〜１０本の第１留め具が設けられても良く、３〜８本であってもよく、４〜６本であってもよい。前記取り付け本体は、特に限定されないが、自毛に接着剤で貼り付ける、又は、自毛に縫い付けることで取り付けることができる。或いは、前記取り付けユニットは、取り付け本体の第１留め具が設けられている側と反対側に設けられている係合手段によって装着者の自毛に取り付けられてもよい。前記係合手段としては、例えば、クリップ等が挙げられる。
【００１１】
前記取り付け本体は、特に限定されないが、通気性を高め、装着時の快適性を高める観点から、少なくとも一部がネット生地で構成されていることが好ましく、全部がネット生地で構成されていることがより好ましい。本考案の１以上の実施形態において、特に限定されないが、前記ネット生地は、例えば、網目状に織られた布、貫通孔が形成された布等を用いることができる。前記ネット生地の素材は特に限定されるものではなく、例えば、化学繊維や天然繊維等が挙げられる。前記ネット生地は、伸縮性を有してもよい。
【００１２】
前記取り付け本体の形状及びサイズは、特に限定されず、取り付ける部位等によって適宜設定すればよい。
【００１３】
前記毛髪部材ユニットは、２本以上の毛髪部材を含む。毛髪部材に用いる繊維は、特に限定されず、天然繊維、化学繊維などの人工毛髪用繊維を用いることができる。天然繊維としては、例えば、人毛やヤク毛等が挙げられ、化学繊維としては、例えば、ポリエステル系繊維、アクリル系繊維、塩化ビニル繊維、ボリアミド繊維等の合成繊維やコラーゲン繊維等の人工タンパク質繊維等が挙げられる。
【００１４】
前記毛髪部材は、繊維が互いに連結されている根元部分を有する繊維束で構成された蓑毛を含んでもよい。前記蓑毛（ウエフトとも称される。）は、一般的に、所定の長さの繊維束の一方の端部をかつら用のミシンで縫製して、腰ミノ状に加工したものである。前記蓑毛において、縫製部が根元部分となる。本考案の１以上の実施形態において、第２留め具は通常毛髪部材の一方の端部に設けられ、例えば毛髪部材が蓑毛の場合は、通常、第２留め具は、蓑毛の根元部分に設けられる。
【００１５】
前記毛髪部材ユニットにおいて、２つ以上の毛髪部材のそれぞれには第２留め具が備えられている。本考案の１以上の実施形態において、「第２留め具と第１留め具が剥離可能に接着する」とは、第１留め具と第２留め具が圧力及び/又は熱等の外的処理により剥離可能に接着することを意味する。付け毛セットを取り付けた状態において、毛髪部材が取り付け本体から外れることを抑制する観点から、第２留め具と第１留め具間の接着強度は、特に限定されないが、０．５Ｎ/ｃｍ以上であることが好ましく、１Ｎ/ｃｍ以上であることがより好ましく、２Ｎ/ｃｍ以上であることがさらに好ましく、３Ｎ/ｃｍ以上であることがさらにより好ましく、５Ｎ/ｃｍ以上であることがさらにより好ましく、７Ｎ/ｃｍ以上であることが特に好ましい。。取り付け本体と毛髪部材を繰り返し剥離しやすい観点から、第２留め具と第１留め具間の接着強度が９Ｎ/ｃｍ以下であることが好ましい。本考案の１以上の実施形態において、第２留め具と第１留め具間の接着強度は、後述するとおりに測定する。
【００１６】
本考案の１以上の実施形態において、第２留め具と第１留め具が剥離可能に接着することで、第２留め具と第１留め具を繰り返し剥離接着することができる。繰り返し使用の耐久性が高い観点から、１０回以上剥離と接着を繰り返した場合、第２留め具と第１留め具間の接着強度は２Ｎ/ｃｍ以上であることが好ましく、３Ｎ/ｃｍ以上であることがより好ましく、５Ｎ/ｃｍ以上であることがさらに好ましく、７Ｎ/ｃｍ以上であることが特に好ましい。また、繰り返し使用の耐久性が高い観点から、２０回以上剥離と接着を繰り返した場合、第２留め具と第１留め具間の接着強度は２Ｎ/ｃｍ以上であることが好ましく、３Ｎ/ｃｍ以上であることがより好ましく、５Ｎ/ｃｍ以上であることがさらに好ましく、７Ｎ/ｃｍ以上であることが特に好ましい。また、繰り返し使用の耐久性が高い観点から、３０回以上剥離と接着を繰り返した場合、第２留め具と第１留め具間の接着強度は２Ｎ/ｃｍ以上であることが好ましく、３Ｎ/ｃｍ以上であることがより好ましく、５Ｎ/ｃｍ以上であることがさらに好ましく、７Ｎ/ｃｍ以上であることが特に好ましい。
【００１７】
自毛へ取り付けた際のフィット性を高める観点から、第１留め具及び第２留め具の少なくとも一方は伸縮性を有することが好ましく、第１留め具及び第２留め具のいずれも伸縮性を有することがより好ましい。
【００１８】
本考案の１以上の実施形態において、第１留め具は、テープ状であり、長さ方向（長手方向）が横方向（頭部の周囲方向）に沿うように配列することが望ましい。本考案の１以上の実施形態において、特に限定されないが、第１留め具の厚さは０．２〜０．６ｍｍであってもよく、０．３〜０．５ｍｍであってもよい。本考案の１以上の実施形態において、特に限定されないが、第１留め具の幅は、取り付けユニット（取り付け本体）に毛髪部材として蓑毛を固定する場合は、蓑毛の根元部分の幅より広いことが望ましく、例えば、蓑毛の根元部分の幅の１．５倍以上にしてもよく、２倍以上にしてもよい。
【００１９】
本考案の１以上の実施形態において、取り付け本体への第１留め具の配置方法は特に限定されないが、例えば、作業性の観点から、第１留め具の長さ方向が取り付け本体の長手方向（頭部の周囲方向）に沿うように配列することが望ましく、隣接する第１留め具の配置位置間の間隔は特に限定されないが、隣接する第１留め具が互いに重なることがないように配置することが望ましい。本考案の１以上の実施形態において、取り付け本体への第１留め具の固定方法は、特に限定されないが、例えば、第１留め具が固定箇所以外は動くように固定することが望ましい。第１留め具は、例えば、取り付け本体に縫着されてもよく、取り付け本体にボンド等の接着剤で固定されてもよい。通気性を高め、装着時の快適性を高めることと第１留め具と第２留め具間の剥離を容易にする観点から、第１留め具は長手方向のガイド線に沿ってガイド線の箇所のみが取り付け本体に固定されていることが好ましい。
【００２０】
本考案の１以上の実施形態において、第２留め具は、テープ状であり、長さ（長手方向のサイズ、頭部の周囲方向のサイズ）は、対応する第１留め具の長さと同等であるか小さくてもよい。本考案の１以上の実施形態において、特に限定されないが、第２留め具の厚さは０．２〜０．６ｍｍであってもよく、０．３〜０．５ｍｍであってもよい。本考案の１以上の実施形態において、特に限定されないが、第２留め具の幅は、毛髪部材が蓑毛の場合は、蓑毛の根元部分の幅より大きいことが望ましく、例えば、蓑毛の根元部分の幅の１．５倍以上にしてもよく、２倍以上にしてもよい。
【００２１】
本考案の１以上の実施形態において、第１留め具の一方又は両方の表面及び第２留め具の一方又は両方の表面には、自着性接着剤が配置されていることが好ましい。自着性接着剤が、同種の接着剤でのみ接着し、他の物質に対しては実質的に接着しない性質を有することから、第１留め具の一方又は両方の表面及び第２留め具の一方又は両方の表面に自着性接着層が配置されていることにより、第１留め具及び第２留め具のみ互いに接着性を有し、第２留め具と第１留め具は剥離可能に接着しやすい。
【００２２】
本考案の１以上の実施形態において、装着者の頭部形状へのフィット性を高める観点から、前記自着性接着剤は、固化した後に、柔軟性を有することが好ましい。本考案の１以上の実施形態において、自着性接着剤は、特に限定されないが、例えば、天然ゴム、天然ゴムに不飽和モノマーをグラフト化した天然ゴム誘導体、合成ゴム等からなる群から選ばれる一種以上の接着性成分を含む接着剤組成物を用いることができ、自着性に優れる観点から、天然ゴム及び天然ゴムに不飽和モノマーをグラフト化した天然ゴム誘導体からなる群から選ばれる一種以上の接着性成分を含む接着剤組成物を用いることが好ましい。本考案の１以上の実施形態において、天然ゴムにグラフト化する不飽和モノマーとしては、特に限定されないが、例えばメタクリル酸メチル、スチレン、アクリロニトリル、塩化ビニリデン、無水マレイン酸、アクリルアミド、ビニルピロリドン、ジメチルアクリルアミド、メタクリル酸グリシジル等が挙げられる。これらの中でも、グラフト化反応が確実に進行する観点から、メタクリル酸メチル、スチレン、アクリロニトリルを使用することが一般的である。合成ゴムとしては、例えば、アクリロニトリル−イソプレン共重合体ゴム（ＮＩＲ）、アクリロニトリル−ブタジエン共重合体ゴム（ＮＢＲ）、スチレン−ブタジエン共重合体ゴム（ＳＢＲ）、ブタジエンゴム、イソプレンゴム等が挙げられる。接着成分として、天然ゴム及び／又は天然ゴム誘導体と、合成ゴムを併用してもよく、毛髪部材とかつらベースキャップ間の剥離強度を高める観点から、天然ゴム及び／又は天然ゴム誘導体と、合成ゴムの合計量を１００質量％とした場合、天然ゴム及び／又は天然ゴム誘導体の含有量は３０質量％以上であることが好ましい。前記接着剤組成物は、本考案の効果を阻害しない範囲内で、老化防止剤等の添加剤を適宜含んでも良い。老化防止剤としては、例えば、ヒンダードフェノール系酸化防止剤等の酸化防止剤を用いることができる。ヒンダードフェノール系酸化防止剤としては、例えば、トリエチレングリコール−ビス［３−（３−ｔ−ブチル−５−メチル−４−ヒドロキシフェニル）プロピオネート］、ペンタエリスリチル−テトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５，５］ウンデカン等が挙げられる。本考案の１以上の実施形態において、自着性接着剤は、特に限定されないが、市販のものを用いることができる。例えば、天然ゴム、天然ゴムにメタクリル酸メチルをグラフト重合させた天然ゴム誘導体、合成ゴム等を接着性成分とするムサシノケミカル株式会社のコアテックス（登録商標）シリーズのラテックス系接着剤を用いることができる。第１留め具及び第２留め具において、自着性接着剤は固化状態であることが好ましい。
【００２３】
本考案の１以上の実施形態において、特に限定されないが、第１留め具及び第２留め具は、いずれも、伸縮性生地の一方又は両方の表面に自着性接着剤が配置された留め具用基材で構成されてもよく、伸縮性生地に自着性接着剤が含浸された留め具用基材で構成されてもよい。前記留め具用基材は、厚さが０．２〜０．６ｍｍであってもよく、０．３〜０．５ｍｍであってもよい。前記留め具用基材において、自着性接着剤の厚さ（＝留め具基材の厚み−伸縮性生地の厚み）は、１０〜８０μｍであることが好ましく、３０〜６０μｍであることがより好ましい。留め具基材における自着性接着剤の厚さが上述した範囲内であると、該留め具用基材を用いた第１留め具及び第２留め具を剥離可能に接着させやすい上、毛髪部材が外れることを効果的に抑制することができる。本考案の１以上の実施形態において、特に限定されないが、頭部への装着時のフィット性を高める観点から、前記留め具用基材は、ＪＩＳ  Ｌ  １０９６定速伸長法に準じて測定した、１４．７Ｎ荷重時の長さ方向での伸長率が１３０％以上であることが好ましく、１５０％以上であることがより好ましい。本考案の１以上の実施形態において、特に限定されないが、第１留め具及び第２留め具は、いずれも、自着性接着剤そのもので構成されてもよい。前記伸縮性生地の素材は特に限定されず、例えば、ポリウレタン繊維、ナイロン繊維等を含む生地を用いてもよい。
【００２４】
本考案の１以上の実施形態において、前記自着性接着剤が圧力で接着する感圧性接着剤の場合は、第１留め具と第２留め具を接触させた後、例えば、接触部分を手で押すことで、簡便に第１留め具と第２留め具を剥離可能に接着させることができる。例えば、天然ゴム、天然ゴムに不飽和モノマーをグラフト化した天然ゴム誘導体、合成ゴム等の接着性成分を含む接着剤組成物の内、感圧性接着剤を用いた場合は、第１留め具と第２留め具を接触させた後、接触部分を手で押すことで、第１留め具と第２留め具を剥離可能に接着させることができる。
【００２５】
本考案の１以上の実施形態において、付け毛セットは、毛髪部材ユニットを２つ以上含んでもよく、３つ以上、４つ以上、５つ以上、又は６つ以上含んでもよい。各々の毛髪部材における毛髪部材は素材、色、長さ、捲縮状態等のいずれか一つ以上又は全部が同じものであってもよく、素材、色、長さ、捲縮状態等のいずれか一つ以上又は全部が異なるものであってもよい。
【００２６】
本考案の１以上の実施形態において、付け毛セットは、首付近の自毛に取り付けるものであることが好ましい。首付近を覆う領域において、毛髪が劣化しやすいことから、付け毛セットを首付近の自毛に取り付けることで、毛髪がダメージを受けた際に、新たな毛髪部材ユニットを取り替えやすくなる。また、スタイルを変更した場合も、新たな毛髪部材ユニットを取り替えやすくなる。
【００２７】
本考案の１以上の実施形態において、付け毛セットは、さらに、１本以上の毛髪部材、例えば蓑毛を含んでも良い。該実施形態の付け毛セットの場合は、所定の箇所、例えば首付近を覆う領域の自毛に取り付けユニットにより毛髪部材ユニットを取りつけ、その他の箇所の自毛に必要に応じて毛髪部材を取り付けることができる。
【００２８】
本考案の１以上の実施形態において、付け毛セットは、ウィーブ（Ｗｅａｖｅ）用として好適に用いることができ、例えば、縦方向のコーンロー又は横方向のコーンローを形成している自毛に好適に取り付けることができる。
【００２９】
本考案の１以上の実施形態の付け毛セットは、コーンロー状の編み込みを有するかつらキャップに取り付けて用いても良い。
【００３０】
以下、図面を用いて本考案の１以上の実施形態の付け毛セットを説明する。しかし、本考案は、下記図面で示したものに限定されない。
【００３１】
図１は、本考案の１以上の実施形態の付け毛セットを取り付けた状態を説明する模式図である。図１に示されているように、装着者の自毛１は縦方向のコーンローを形成しており、首付近のコーンローに付け毛セット２が縫い付けられている。付け毛セット２は、取り付けユニット２０及び毛髪部材ユニット７１を含み、取り付けユニット２０は取り付け本体２１と第１留め具２２で構成されており、毛髪部材ユニット７１は毛髪部材３と第２留め具６１で構成されている。第１留め具２１と第２留め具６１が剥離可能に接着することで、毛髪部材３が取り付け本体２１に固定される。
【００３２】
図２は、本考案の１以上の実施形態の付け毛セットを取り付けた状態を説明する模式図である。図２に示されているように、該実施形態の付け毛セット１２は、取り付けユニット２０及び毛髪部材ユニット７１に加えて毛髪部材３を含んでおり、縦方向のコーンローを形成しいる装着者の自毛１の首付近を覆うコーンローに取り付けユニット２０が縫い付けられ、該取り付けユニット２０に毛髪部材ユニット７１が固定されており、他の部分には毛髪部材（蓑毛）３が接着剤にて貼り付けられている。
【００３３】
図３は、本考案の１以上の実施形態の付け毛セットを取り付けた状態を説明する模式図である。図３に示されているように、装着者の自毛１１は横方向のコーンローを形成しており、首付近のコーンローに付け毛セット２が縫い付けられている。付け毛セット２は、取り付けユニット２０及び毛髪部材ユニット７１を含み、取り付けユニット２０は取り付け本体２１と第１留め具２２で構成されており、毛髪部材ユニット７１は毛髪部材３と第２留め具６１で構成されている。第１留め具２１と第２留め具６１が剥離可能に接着することで、毛髪部材３が取り付け本体２１に固定される。
【００３４】
図４は、本考案の１以上の実施形態の付け毛セットにおける取り付けユニットの模式的説明図であり、図４Ａは正面図であり、図４Ｂは背面図である。。該実施形態において、取り付けユニット２０は、取り付けた本体２１と、長手方向が取り付け本体２１の長手方向（頭部の周囲方向）に沿うように等間隔で配置された４本の第１留め部２２を含む。具体的には、第１留め部２２は取り付け本体２１で縫い付けられている（縫製線２３）。該実施形態において、取り付けユニット２０は、４本の第１留め部２２を含むが、第１留め部２２の本数は特に限定されず、２〜１０本であってもよく、３〜８本であつてもよく、４〜６本であってもよい。
【００３５】
図５は、本考案の１以上の実施形態で用いる一例の毛髪部材（蓑毛）の模式的説明図である。図５に示されているように、蓑毛３は、所定の長さの繊維束３１の一方の端部をかつら用のミシンで縫製した、腰ミノ状の毛髪部材であり、縫製部が根元部分３２となる。
【００３６】
図６〜８は、本考案の１以上の実施形態における毛髪部材ユニットの模式的説明図である。図６に示されているように、該実施形態において、毛髪部材ユニット５０は、蓑毛３と、蓑毛３の根元部分に自着性接着剤を直接塗布して固化させて形成したテープ状の第２留め具４０を含む。図７に示されているように、該実施形態において、毛髪部材ユニット７０は、蓑毛３と、蓑毛３の根元部分３２を覆うようにして縫い付けられている（縫製線２４）テープ状の第２留め具６０を含む。第２留め具６０は、留め具用基材で構成されている。図８に示されているように、該実施形態において、毛髪部材７１は、蓑毛３と、蓑毛３の根元部分３２の片面と接するように縫い付けられている（縫製線２５）テープ状の第２留め具６１を含む。第２留め具６１は、留め具用基材で構成されている。
【００３７】
図９〜１１は、本考案の１以上の実施形態で用いる留め具用基材の模式的断面図である。図９に示されているように、留め具用基材８０は、伸縮性生地８１と、伸縮性生地８１の両方の表面に配置されている自着性接着剤８２、８３で構成されている。本考案の１以上の実施形態において、留め具用基材は、伸縮性生地と、伸縮性生地の一方の表面に配置されている自着性接着剤で構成されていてもよい。図１０に示されているように、留め具用基材９０は、伸縮性生地９１と、伸縮性生地９１の両方の表面に配置されている自着性接着剤９２、９３と、自着性接着剤９２の表面に配置されている保護層９４で構成されている。図１１に示されているように、留め具用基材１００は、伸縮性生地１０１と、伸縮性生地１０１の両方の表面に配置されている自着性接着剤１０２、１０３と、自着性接着剤１０２の表面に配置されている保護層１０４と、自着性接着剤１０３の表面に配置されている離型層１０５で構成されている。保護層９４及び１０４の素材及び厚み等は、特に限定されず、適宜調整すればよい。本考案の１以上の実施形態において、保護層９４及び１０４の素材としては、例えば、ストレッチフィルム等を用いてもよい。本考案の１以上の実施形態において、保護層９４及び１０４の厚みは、例えば、３０〜６０μｍであってもよい。離型層１０５の素材及び厚み等は、特に限定されず、適宜調整すればよい。本考案の１以上の実施形態において、離型層の素材としては、例えば、ストレッチフィルム等を用いてもよい。本考案の１以上の実施形態において、離型層１０５の厚みは、例えば、３０〜６０μｍであってもよい。本考案の１以上の実施形態において、留め具用基材において、自着性接着剤は、伸縮性生地に含浸されてもよい。
【００３８】
図１２は、本考案の１以上の実施形態の付け毛セットにおいて、取り付け本体に毛髪部材を固定した状態を説明する模式図である。図１２に示されているように、付け毛セット２において、取り付け本体２１に配置した第１留め具２２で、毛髪部材７１に備えられている第２留め具６１を覆うようにして手で押して剥離可能に接着させることで、取り付け本体２１に毛髪部材３を固定する。
【００３９】
図１３Ａ〜Ｆは第１留め具と第２留め具間の接着強度を測定のに用いた一例の測定試料を説明する写真である。具体的には、図１３Ａは、かつらベースキャップと毛髪部材の固定箇所が縦方向の中心になるようにし、かつらベースキャップ部分を縦方向の長さが４ｃｍ、横方向の長さが３ｃｍになるようにカットした試料Iの写真である。図１３Ｂ〜Ｃは、試料Iから、第１留め具と第２留め具の接着部分のみを切り出す状態を説明する写真である。図１３Ｄは、試料Iから、第１留め具と第２留め具の接着部分のみを切り出し、得られた所定の縦方向の長さを有し、横方向の長さが３ｃｍである試料IIの写真である。図１３Ｅは、試料IIにおいて、第１留め具と第２留め具を横方向の一方の端部から２ｃｍまで剥がして得られた試料IIIの写真である。図１３Ｆは、試料IIIにおいて、剥がれている第１留め具の端から１ｃｍのところを上側の取り付け治具に固定し、剥がれている第２留め具の端から１ｃｍのところを下側の取り付け治具に固定した状態を説明する写真である。
【実施例】
【００４０】
以下実施例に基づいて本考案の１以上の実施態様を説明する。但し、本考案はこれらの実施例に限定されるものではない。
【００４１】
（実施例１）
＜取り付けユニットの作製＞
図４に示すように、ネット生地（ＳｕｎｇＪｉｎｇ製「ＳＪ−６７−２  ２０Ｄ  ＫＯＲＥＡ  ＢＵＬＬ  ＮＥＴ」）を所定形状に切り出して取り付け本体２１を作製し、取り付け本体２１に長手方向が一致する４本の留め具用基材で構成されたテープ状の第１留め具２２を配置して取り付けユニット２０を作製した。留め具用基材は、伸縮性生地（モリクロス社製「パワーネット」、ポリウレタン８３質量％／ナイロン１７質量％、厚み０．３１〜０．３３ｍｍ）に、自着性接着剤として天然ゴム系自着性接着剤（ムサシノケミカル社製「コアテックス（登録商標）ＡＤ−６０」；天然ゴム約６０重量％の天然ゴムラテックス）を厚みが０．３３〜０．３５ｍｍになるように均一に塗布し、室温で４時間乾燥させて作製した。前記留め具用基材の一方の接着剤層の表面には保護層として厚みが５０μｍのポリエチレン製のストレッチフィルムが配置した。得られた留め具用基材のＪＩＳ  Ｌ  １０９６定速伸長法に準じて測定した、１４．７Ｎ荷重時の長さ方向の伸長率は約１４０％であった。前記留め具用基材を、長さ４５ｃｍ、幅２ｃｍにカットして、幅方向の中心線に沿って折り目を付けてテープ状の第１留め具１１を作製した。テープ状の第１留め具１１の折り目を取り付け本体２１の所定箇所を縫い付けて、取り付けユニット２０を作製した。第１留め具の長さ方向が頭部の周囲方向に沿うようになる。なお、隣接する縫製線１４間の間隔、すなわち隣接する第１留め具２２の配置位置間の間隔は、１ｃｍであった。
【００４２】
＜毛髪部材ユニットの作製＞
ポリエステル系繊維（カネカ社製「Ｆｕｔｕｒａ」）を用い、図５に示すように蓑毛（毛髪部材）３を作製し、図８に示すように蓑毛３の根元部分３２に留め具用基材で構成されたテープ状第２留め具６１を縫いつけて毛髪部材ユニット７１を得た。留め具用基材としては、第１留め具の作製に用いたものと同様のものを用いた。前記留め具用基材を、長さ４５ｃｍ、幅２ｃｍにカットして、幅方向の下端から０．５ｃｍ離れた位置に沿ってミシンで縫いつける為のガイド線を引きテープ状の第２留め具６１とした。蓑毛３への縫いつけは、テープ状の第２留め具６１のガイド線と蓑毛３の根元部分の上端を合せて図８に示すように縫いつけて第２留め具を備えた毛髪部材ユニット７１を作製した。
【００４３】
＜付け毛セットの作製＞
図１２に示されているように、取り付け本体２１に配置した第１留め具２２で、毛髪部材３に備えられている第２留め具６１を覆うようにして手で押して剥離可能に接着させることで、取り付け本体２１に毛髪部材３を固定した。同様の操作により、４本の毛髪部材ユニットにおける毛髪部材を取り付けユニットの取り付け本体に固定することで、付け毛セット２を作製した。
【００４４】
＜装着者への取り付け＞
図１に示されているように、装着者の自毛１は縦方向のコーンローを形成しており、首付近のコーンローに付け毛セット２が縫い付けることで（縫製線１２）、付け毛セットを装着者に取り付けた。
【００４５】
（実施例２）
留め具用基材として、伸縮性生地（モリクロス社製「パワーネット」、ポリウレタン８３質量％／ナイロン１７質量％、厚み０．３１〜０．３３ｍｍ）に、厚みが０．３７ｍｍ〜０．３９ｍｍになるように均一に自着性接着剤を塗ったものを用いた以外は、実施例１と同様にして、図１２に示すような付け毛セット２を得た。その後、実施例１と同様にして、装着者の自毛に取り付けた
【００４６】
実施例１及び２の付け毛セットにおける第１留め具と第２留め具の剥離・固定を３０回繰り返した時の接着強度を下記のように測定し、その結果を下記表１に示した。
【００４７】
（第１留め具と第２留め具間の接着強度）
＜測定条件＞
小型卓上試験装置（日本電産シンポ社製「ＦＧＳ−１０００ＴＶ−ＦＧＰ−５」）を使用し、下記試験条件にてかつらベースキャップと毛髪部材が剥がれる時の最大荷重（N）を測定した。
試験条件は、下記のとおりであった。
試験種類：剥離試験
試験速度：７００mm/min
動作方向：PULL
試料取り付け治具：上（フォースゲージ取り付け側）＝ＧＣ−２−５
下（スタンド取り付け側）＝ＧＴ−３０−１
＜測定方法＞
（１）ランダムに５箇所を選択し、かつらベースキャップと毛髪部材の固定箇所が縦方向の中心になるようにし、かつらベースキャップ部分を縦方向の長さが４ｃｍ、横方向の長さが３ｃｍになるようにカットし、試料Ｉとした（図１３Ａ）。
（２）試料Iから、図１３Ｂ〜Ｃに示すように、第１留め具と第２留め具の接着部分のみを切り出し、縦方向の長さが１ｃｍ、横方向の長さが３ｃｍの試料IIを得た（図１３Ｄ）。
（３）試料IIにおいて、第１留め具と第２留め具を横方向の一方の端部から２ｃｍまで剥がして、試料IIIを得た（図１３Ｅ）。
（４）試料IIIにおいて、剥がれている第１留め具の端から１ｃｍのところを上側の取り付け治具に固定した（図１３Ｆ）。
（５）試料IIIにおいて、剥がれている第２留め具の端から１ｃｍのところを下側の取り付け治具に固定した（図１３Ｆ）。
（６）上述した測定条件にて測定を実施した。
＜接着強度＞
下記式に基づいて、上記のように測定した最大荷重（Ｎ）を第２留め具と第１留め具間の接着部分の幅（縦方向の長さに相当する）で割ることで接着強度（Ｎ/ｃｍ）を算出し、５箇所の平均値を第１留め具と第２留め具間の接着強度の接着強度とした。
第１留め具と第２留め具間の接着強度（Ｎ／ｃｍ）＝最大荷重（Ｎ）÷１ｃｍ
【００４８】
【表１】
0003225277.tif 000003
【００４９】
実施例では、毛髪部材を剥離可能に取り付け本体に固定することができるため、毛髪部材のスタイル変更を容易に行うことができる。また、第１留め具と第２留め具の剥離固定を３０回以上繰り返した場合でも、第１留め具と第２留め具間の接着強度の低下が少なく、スタイル変更を繰り返し行うことが可能である。
【符号の説明】
【００５０】
１、１１  装着者の自毛（コーンロー）
２、１２  付け毛セット
３  蓑毛（毛髪部材）
２０  取り付けユニット
２１  取り付け本体
２２  第１留め具
２３、２４、２５  縫製線
３１  繊維束
３２  根元部分
４０、６０、６１  第２留め具
５０、７０、７１  毛髪部材ユニット
８０、９０、１００  留め具用基材
８１、９１、１０１  伸縮性生地
８２、８３、９２、９３、１０２、１０３  自着性接着剤
９４、１０４、  保護層
１０５  離型層
【図１】
0003225277.tif 000004
【図２】
0003225277.tif 000005
【図３】
0003225277.tif 000006
【図４】
0003225277.tif 000007
【図５】
0003225277.tif 000008
【図６】
0003225277.tif 000009
【図７】
0003225277.tif 000010
【図８】
0003225277.tif 000011
【図９】
0003225277.tif 000012
【図１０】
0003225277.tif 000013
【図１１】
0003225277.tif 000014
【図１２】
0003225277.tif 000015
【図１３】
0003225277.tif 000016